(57)【特許請求の範囲】
【請求項１】
鉛直方向に設置されたガイドに沿って鉛直方向の上側および下側に移動可能な通常の操作画面および通常の操作画面以外の情報を表示する表示手段と、
表示内容を通常の操作画面と通常の操作画面以外の情報との間で切り替えて前記表示手段に表示するよう制御する表示制御手段と、
通常の操作画面が前記表示手段に表示されている場合には、前記ガイドに沿って鉛直方向の下側に前記表示手段を駆動し、通常の操作画面以外の情報が前記表示手段に表示されている場合には、前記ガイドに沿って鉛直方向の上側に前記表示手段を駆動する駆動手段と、
を有する画像形成装置。
【請求項２】
外部にアクセスするためのアクセス手段をさらに有し、
前記アクセス手段は、アクセス先のアドレスを予め登録しておき、
前記駆動手段は、外部にアクセスを行う際、アクセスする先のアドレスが予め登録されている前記アクセス先のアドレスと合致した場合に、前記ガイドに沿って鉛直方向の下側に移動することにより設置状態が異なるように前記表示手段を駆動する請求項１記載の画像形成装置。
【請求項３】
前記アクセス先のアドレスは、個人情報を入力する表示を行うアクセス先のアドレスである請求項２記載の画像形成装置。
【請求項４】
前記ガイドは、前記表示手段の左右を鉛直方向に挟むように設置された請求項１から３いずれか記載の画像形成装置。
【請求項５】
鉛直方向に設置されたガイドに沿って鉛直方向の上側および下側に移動可能な通常の操作画面および通常の操作画面以外の情報を表示する表示手段と、
表示内容を通常の操作画面と通常の操作画面以外の情報との間で切り替えて前記表示手段に表示するよう制御する表示制御手段と、
通常の操作画面が前記表示手段に表示されている場合には、前記ガイドに沿って鉛直方向の下側に前記表示手段を駆動し、通常の操作画面以外の情報が前記表示手段に表示されている場合には、前記ガイドに沿って鉛直方向の上側に前記表示手段を駆動する駆動手段と、
を有する情報処理装置。
【請求項６】
外部にアクセスするためのアクセス手段をさらに有し、
前記アクセス手段は、アクセス先のアドレスを予め登録しておき、
前記駆動手段は、外部にアクセスを行う際、アクセスする先のアドレスが予め登録されている前記アクセス先のアドレスと合致した場合に、前記ガイドに沿って鉛直方向の下側に移動することにより設置状態が異なるように前記表示手段を駆動する請求項５記載の情報処理装置。
【請求項７】
前記アクセス先のアドレスは、個人情報を入力する表示を行うアクセス先のアドレスである請求項６記載の情報処理装置。
【請求項８】
前記ガイドは、前記表示手段の左右を鉛直方向に挟むように設置された請求項５から７いずれか記載の情報処理装置。
【発明の詳細な説明】
【技術分野】
【０００１】
本発明は、表示装置を有する情報処理装置に関し、特に、広告情報等の通常の操作画面以外の情報の表示を行う画像形成装置に関する。
【背景技術】
【０００２】
近年、オフィス内だけでなく、コンビニエンスストア、図書館、市役所等の不特定多数の人が集まる場所にもコピー機、プリンタ等の画像形成装置が設置されるようになっている。また、操作画面を表示するために画像形成装置に設けられる表示装置も大型化されている。そのため、このような画像形成装置の表示装置に、広告情報等の通常の操作画面以外の情報を表示して表示装置を有効利用することが行われるようになっている。
【０００３】
広告情報等の通常の操作画面以外の情報を表示装置に表示する場合には、周囲の不特定多数の人が見やすい位置に表示装置を設置したほうが有効である。しかし、このような位置に表示装置を設置した場合、パスワードの入力による認証操作、ファクシミリ送信の宛先入力操作等の周囲の人に画面操作を見られたくないような操作内容が周囲の人に見られてしまうこととなる。このような状況は、個人情報の保護の観点からもセキュリティ面でも好ましいものではない。
【０００４】
しかし、表示装置を周囲の人には見え難いような位置に設置したのでは、表示装置に広告情報等の通常の操作画面以外の情報を表示することにより表示装置の有効利用を図るという効果が得られ難くなってしまう。
【０００５】
このような問題を解決するための技術が特許文献１に開示されている。この特許文献１には、秘匿性と情報訴求性の両立を図るため、操作状況・マシン状況に応じて、液晶表示部の視野角を制御する技術が開示されている。
【０００６】
しかし、このような従来技術では、表示装置にタッチパネル方式を採用したような場合には、操作者が表示装置に触れることにより各種情報の入力が行われるため、例え視野角を制御したとしても操作者が指で触れている位置により周囲の者に入力している番号等の情報が推測されてしまう可能性がある。
【０００７】
また、このような従来技術では、視野角を変更することが可能な特殊な液晶表示部が必要となるという問題点や、操作者はかならず表示装置の正面に立たなければならないという問題点や、操作者が少し斜めから表示装置を見ると表示内容が見難くなるという問題点が発生する。
【０００８】
【特許文献１】特開２００７−８３４２５号公報
【発明の開示】
【発明が解決しようとする課題】
【０００９】
上述した従来技術では、表示装置に通常の操作画面以外の情報を表示しようとした場合、表示内容の訴求性と秘匿性の両立を図ることができないという問題点があった。
【００１０】
本発明の目的は、表示装置に広告情報等の通常の操作画面以外の情報を表示する際に、表示内容の訴求性と秘匿性の両立を図ることが可能な画像形成装置および情報処理装置を提供することである。
【課題を解決するための手段】
【００１１】
[画像形成装置]
上記目的を達成するために、本発明の画像形成装置は、通常の操作画面および通常の操作画面以外の情報を表示する表示手段と、
表示内容を通常の操作画面と通常の操作画面以外の情報との間で切り替えて前記表示手段に表示するよう制御する表示制御手段と、
通常の操作画面が前記表示手段に表示されている場合と通常の操作画面以外の情報が前記表示手段に表示されている場合とで、設置状態が異なるように前記表示手段を駆動する駆動手段とを有する。
【００１２】
本発明によれば、通常の操作画面が表示手段に表示されている場合と、通常の操作画面以外の情報が表示手段に表示されている場合とで、表示手段の設置状態を変更するようにしているので、表示装置に広告情報等の通常の操作画面以外の情報を表示する際に、表示内容の訴求性と秘匿性の両立を図ることができる。
【００１３】
好ましくは、前記駆動手段は、通常の操作画面が前記表示手段に表示されている場合には、操作者のみが表示内容を視認可能な設置状態となるよう前記表示手段を駆動し、通常の操作画面以外の情報が前記表示手段に表示されている場合には、操作者以外の周囲の者にも表示内容が視認可能な設置状態となるよう前記表示手段を駆動する。
【００１４】
好ましくは、前記駆動手段は、前記表示手段の設置角度を変更することにより設置状態が異なるように前記表示手段を駆動する。
【００１５】
好ましくは、前記駆動手段は、前記表示手段の設置位置を移動することにより設置状態が異なるように前記表示手段を駆動する。
【００１６】
[情報処理装置]
また、本発明の情報処理装置は、通常の操作画面および通常の操作画面以外の情報を表示する表示手段と、
表示内容を通常の操作画面と通常の操作画面以外の情報との間で切り替えて前記表示手段に表示するよう制御する表示制御手段と、
通常の操作画面が前記表示手段に表示されている場合と通常の操作画面以外の情報が前記表示手段に表示されている場合とで、設置状態が異なるように前記表示手段を駆動する駆動手段とを有する。
【発明の効果】
【００１７】
以上説明したように、本発明によれば、表示装置に通常の操作画面以外の情報を表示しようとした場合、表示内容の訴求性と秘匿性の両立を図ることができるという効果を得ることができる。
【発明を実施するための最良の形態】
【００１８】
次に、本発明の実施の形態について図面を参照して詳細に説明する。
[第１の実施形態]
図１は本発明の第１の実施形態の画像形成装置を含む画像処理システムの構成を示す図である。
【００１９】
図１に示すように、本実施形態における画像処理システムは、ネットワーク４０を介して接続された画像形成装置１０、端末装置６０および広告情報配信サーバ３０を含む。
【００２０】
広告情報配信サーバ３０は、画像形成装置１０の表示装置に表示するための各種広告情報が格納されており、予め設定された手順に基づいて広告情報を画像形成装置１０に配信する。端末装置６０は、印刷ジョブ等の印刷データを生成して、画像形成装置１０に対して送信する。画像形成装置１０は、印刷機能、複写機能、ファクシミリ送受信機能、スキャン機能を有する複合機であり、端末装置６０から送信された印刷データを受け付けて、印刷データに応じた画像を印刷用紙上に出力するとともに広告情報配信サーバ３０から配信されてきた広告情報を表示装置に表示する。
【００２１】
なお、本実施形態では、通常の操作画面以外の情報として広告情報を用いた場合について説明するが、本発明は、鉄道の運行状況、周辺の観光案内情報、イベント情報等の広告情報以外の他の情報を通常の操作画面以外の情報として画像形成装置１０の表示装置に表示させる場合でも同様に適用可能である。
【００２２】
次に、本実施形態の画像形成装置１０の外観の拡大図を図２に示す。本実施形態の画像形成装置１０は、図２に示されるように、通常の操作画面および広告情報を表示するための表示装置１１、認証装置１２、受話器１３、画像読み取り装置１５を有している。
【００２３】
また、表示装置１１は、左右をガイド２４ａ、２４ｂに挟まれた構造となっており、図示しない駆動装置によりガイド２４ａ、２４ｂに沿って上下に移動可能となっている。
【００２４】
認証装置１２は、例えば、非接触方式のＩＣカード等の認証カードに格納されている情報を読み取ることにより、認証カードを有するユーザの認証を行う。受話器１３は、一般公衆電話回線と接続されており、通常の電話機として使用可能となっている。画像形成装置１０のファクシミリ機能を使用する場合に、先ずこの受話器１３を用いて電話回線に接続し、送信先を確認してからファクシミリデータを送信することができるようになっている。
【００２５】
画像読み取り装置１５は、複写しようとする原稿、スキャナにより読み込もうとする原稿、ファクシミリ送信を行おうとする原稿の画像を読み取るための装置である。
【００２６】
次に、本実施形態の画像形成装置１０のハードウェア構成を図３に示す。
画像形成装置１０は、図３に示されるように、ＣＰＵ１６、メモリ１７、ハードディスクドライブ（ＨＤＤ）等の記憶装置１８、印刷装置１９、ネットワーク４０を介して広告情報配信サーバ３０、端末装置６０等の外部の装置との間でデータの送受信を行う通信インタフェース（ＩＦ）２０、タッチパネル、操作ボタンまたは表示ランプ等を含むユーザインタフェース（ＵＩ）装置２１、画像読み取り装置１５、表示装置１１、表示装置駆動部１４、認証装置１２を有する。これらの構成要素は、制御バス２３を介して互いに接続されている。
【００２７】
ＣＰＵ１６は、メモリ１７または記憶装置１８に格納された画像処理プログラムに基づいて所定の処理を実行して、画像形成装置１０の動作を制御する。
【００２８】
図４は、上記の画像処理プログラムが実行されることにより実現される画像形成装置１０の機能構成を示すブロック図である。
【００２９】
本実施形態の画像形成装置１０は、図４に示されるように、広告情報取得部５１と、表示制御部５２と、表示装置１１と、表示装置駆動部１４とを備えている。
【００３０】
広告情報取得部５１は、ネットワーク４０を介して広告情報配信サーバ３０から配信されてきた広告情報を取得する。
【００３１】
表示制御部５２は、ＷＷＷ（World Wide Web）ブラウザ等のアプリケーションソフトウェアにより、広告情報取得部５１により取得された広告情報を表示するための画像データを生成する。また、表示制御部５２は、ＷＷＷブラウザ等のアプリケーションソフトウェアにより、画像形成装置１０を操作するための通常の操作画面を表示するための画像データを生成する。
【００３２】
そして、表示制御部５２は、表示装置１１の表示内容を、通常の操作画面と広告情報との間で切り替えて表示装置１１に表示するよう制御する。この制御部５２による切替制御を図５を参照して説明する。
【００３３】
表示制御部５２は、図５に示されるように、通常の操作画面を表示するためのウィンドウ１と、広告情報等の通常の操作画面以外の情報を表示するためのウィンドウ２を予め用意しておき、手前に表示するウィンドウ切り替えることにより、表示装置１１に表示させる画面内容の切替を行っている。
【００３４】
例えば、図５（ａ）では、表示制御部５２が、通常の操作画面以外の情報が表示されているウィンドウ２をウィンドウ１の手前に表示させることにより、表示装置１１には、通常の操作画面以外の情報が表示される。そして、この状態において、図５（ｂ）に示されるように、ウィンドウ１を手前に表示させることにより、表示装置１１には、通常の操作画面が表示されることとなる。
【００３５】
表示装置駆動部１４は、通常の操作画面が表示装置１１に表示されている場合と、広告情報が表示装置１１に表示されている場合とで、設置状態が異なるように表示装置１１を駆動する。表示装置駆動部１４の具体的な機構については、ギヤ、位置検出スイッチ、モータ、モータ制御部等の一般的な構成により実現可能であるため、ここでは詳細な説明については省略する。
【００３６】
具体的には、表示装置駆動部１４は、通常の操作画面が表示装置１１に表示されている場合には、操作者のみが表示内容を視認可能な設置状態となるよう表示装置１１を駆動し、広告情報が表示装置１１に表示されている場合には、操作者以外の周囲の者にも表示内容が視認可能な設置状態となるよう表示装置１１を駆動する。
【００３７】
なお、本実施形態では、表示装置駆動部１４は、ガイド２４ａ、２４ｂに沿って表示装置１１の設置位置を上下に移動することにより設置状態が異なるように表示装置１１を駆動する。
【００３８】
この表示装置駆動部１４により表示装置１１の設置位置が移動された際の様子の一例を図６、図７に示す。
【００３９】
図６は、「携帯電話は○○○電器店で！」という広告情報が表示装置１１に表示された場合の例を示す図であり、図７は、画像形成装置１０の機能を選択するためのメニュー画面という通常の操作画面が表示装置１１に表示された場合の例を示す図である。
【００４０】
広告情報が表示装置１１に表示されている場合、表示装置駆動部１４は、図６に示されるように、表示装置１１をガイド２４ａ、２４ｂに沿って鉛直方向の上側に移動するよう制御する。そのため、表示装置１１の設置位置は、通常の設置位置よりも高くなり、操作者以外の周囲の者にも表示内容が見易くなっている。
【００４１】
そして、通常の操作画面が表示装置１１に表示されている場合、表示装置駆動部１４は、図７に示されるように、表示装置１１をガイド２４ａ、２４ｂに沿って鉛直方向の下側に移動するよう制御する。そのため、表示装置１１の設置位置は、広告情報が表示されていた場合の設置位置よりも低くなり、操作者には内容の視認や操作が行い易くなっているが、操作者以外の周囲の者には表示内容が見難くなっている。
【００４２】
次に、本実施形態の画像形成装置１０の動作を図面を参照して詳細に説明する。
本実施形態の画像形成装置１０における表示内容の切替制御および表示装置１１の設置位置制御を図８のフローチャートを参照して説明する。
【００４３】
ここで、情報表示モードとは、広告情報等の通常の操作画面以外の情報を表示装置１１に表示するモードであり、操作モードとは画像形成装置１０の各種機能を利用するための通常の操作画面を表示装置１１に表示するモードである。
【００４４】
先ず、画像形成装置１０の動作モードが、通常の操作画面が表示装置１１に表示されている操作モードであったものとして説明を行なう。この操作モードである状態において、ユーザによる操作が一定期間行われなかった場合（ステップＳ１０１、Ｓ１０２）、動作モードは情報表示モードに変更され（ステップＳ１０３）、表示装置１１には、広告情報等の通常の操作画面以外の情報が表示される。すると、表示装置駆動部１４は、図６に示したように、表示装置１１をガイド２４ａ、２４ｂに沿って上昇させることにより設置位置を変更する（ステップＳ１０４）。
【００４５】
画像形成装置１０の動作モードがこのような情報表示モードとなっている状態において、ユーザによる何等かの操作が行われた場合（ステップＳ１０１）、動作モードは操作モードに変更され（ステップＳ１０５）、表示装置１１には、メニュー画面等の通常の操作画面が表示される。すると、表示装置駆動部１４は、図７に示したように、表示装置１１をガイド２４ａ、２４ｂに沿って下降させることにより設置位置を元の低い位置に変更する（ステップＳ１０６）。
【００４６】
本実施形態の画像形成装置１０によれば、通常の操作画面が表示装置１１に表示されている場合には、操作者は視認し易いが操作者以外の周囲の者には視認し難いよう表示装置１１は低い位置に移動するよう駆動され、広告情報が表示装置１１に表示されている場合には、操作者以外の周囲の者にも視認し易いよう表示装置１１は高い位置に移動するよう駆動される。そのため、本実施形態の画像形成装置１０によれば、表示装置１１に広告情報等の通常の操作画面以外の情報を表示する際に、表示内容の訴求性と秘匿性の両立を図ることができる。
【００４７】
[第２の実施形態]
次に、本発明の第２の実施形態の画像形成装置について説明する。
上記で説明した第１の実施形態の画像形成装置では、表示装置１１の設置位置を移動することにより設置状態を変更するようにしていたが、本実施形態の画像形成装置では、表示装置駆動部は、表示装置１１の設置角度を変更することにより設置状態が異なるように表示装置１１を駆動する。
【００４８】
本実施形態における表示装置１１では、画面の下端を中心として回転するような機構が設けられ、表示装置駆動部に駆動されることにより設置状態が、画面が水平方向に寝かせられた状態と、画面が操作者に対して正立した状態とで切り替わるようになっている。
【００４９】
本実施形態の画像形成装置では、通常の操作画面が表示装置１１に表示されている場合には、図９に示すように、表示装置１１の設置状態は、画面が水平方向に寝かせられた状態となり、操作者にとっては表示内容が視認し易いが、操作者以外の周囲の者にとっては表示内容が視認し難いように駆動される。
【００５０】
そして、本実施形態の画像形成装置では、広告情報等の通常の操作画面以外の情報が表示装置１１に表示されている場合には、図１０に示すように、表示装置１１の設置状態は、設置角度が変更されることにより画面が操作者に正立するような状態となり、操作者以外の周囲の者にとっても表示内容が視認し易いように駆動される。
【００５１】
本実施形態の画像形成装置によっても、上記で説明した第１の画像形成装置１０と同様に、表示装置１１に広告情報等の通常の操作画面以外の情報を表示する際でも、表示内容の訴求性と秘匿性の両立を図ることができる。
【００５２】
[変形例]
上記実施形態では、画像形成装置１０の表示装置１１に広告情報等の通常の操作画面以外の情報を表示する場合を用いて説明したが、本発明はこれに限定されるものではなく、ＡＴＭ（Automated Teller Machine）端末装置、ＰＯＳ（Point-Of-Sales）端末装置等の表示装置を有する情報処理装置において、広告情報、各種案内情報等の通常表示される情報とは異なる情報を表示するような場合でも同様に本発明を適用することができるものである。
【００５３】
また、上記第１の実施形態では、表示装置１１の設置角度を変更することにより設置状態を変更し、上記第２の実施形態では、表示装置１１の設置位置を移動することにより設置状態を変更するようにしているが、設置角度と設置位置の両方を変更することにより設置状態を変更するようにしてもよい。
【００５４】
さらに、上記実施形態では、表示装置駆動部１４は、表示装置１１に表示する内容に基づいて表示装置１１の設置状態を切り替えていたが、表示内容以外の他の情報に基づいて表示装置１１の設置状態を切り替えるようにしてもよい。例えば、図２に示したような認証装置１２により操作者の認証を行ってから画像形成装置１０を利用可能とするような場合、年齢、性別、障害の有無等の操作者の特性に応じて表示装置１１の設置状態を切り替えるようにしてもよい。つまり、障害があり車椅子を使用している操作者の場合には、表示装置１１の設置位置を通常の位置よりも大幅に低くしたり、操作者が子供の場合には表示位置を通常の位置よりも少し低めにする等の駆動制御を行うようにしてもよい。
【００５５】
また、画像形成装置１０に備えられている外部アクセス機能を用いて外部アクセスを行うような場合には、個人情報を入力するサイトを表示装置１１に表示するような場合には、表示装置１１の設置状態を周囲の者には見え難い状態に切り替えるようにすることも可能である。このような場合には、個人情報等を入力するアクセス先のＵＲＬを予め登録しておき、外部アクセス機能によりアクセスする先のＵＲＬが予め登録されていたＵＲＬと合致した場合に、表示装置１１の設置状態を周囲の者からは視認し難いような状態とすれば良い。
【００５６】
また、表示装置１１の表示内容が通常の操作画面の場合、表示装置１１の設置状態を常に操作者のみが視認し易いような状態とするのではなく、パスワードの入力、ファクシミリ送信先の入力等の個人情報の入力を行う場合にのみ表示装置１１の設置状態を切り替えるようにしてもよい。
【図面の簡単な説明】
【００５７】
【図１】本発明の第１の実施形態の画像処理システムの構成を示すシステム図である。
【図２】本発明の第１の実施形態の画像形成装置１０の外観の拡大図である。
【図３】本発明の第１の実施形態の画像形成装置１０のハードウェア構成を示すブロック図である。
【図４】本発明の第１の実施形態の画像形成装置１０の機能構成を示すブロック図である。
【図５】表示制御部５２による切替制御の一例を説明するための図である。
【図６】本発明の第１の実施形態の画像形成装置１０において、広告情報が表示装置１１に表示された場合の設置状態の一例を示す図である。
【図７】本発明の第１の実施形態の画像形成装置１０において、通常の操作画面が表示装置１１に表示された場合の設置状態の一例を示す図である。
【図８】本発明の第１の本実施形態の画像形成装置１０における表示内容の切替制御および表示装置１１の設置位置制御を説明するためのフローチャートである。
【図９】本発明の第２の実施形態の画像形成装置において、通常の操作画面が表示装置１１に表示された場合の設置状態の一例を示す図である。
【図１０】本発明の第２の実施形態の画像形成装置において、広告情報が表示装置１１に表示された場合の設置状態の一例を示す図である。
【符号の説明】
【００５８】
１０    画像形成装置
１１    表示装置
１２    認証装置
１３    受話器
１４    表示装置駆動部
１５    画像読み取り装置
１６    ＣＰＵ
１７    メモリ
１８    記憶装置
１９    印刷装置
２０    通信インタフェース（ＩＦ）
２１    ユーザインタフェース（ＵＩ）装置
２３    制御バス
２４ａ、２４ｂ    ガイド
３０    広告情報配信サーバ
４０    ネットワーク
５１    広告情報取得部
５２    表示制御部
６０    端末装置
Ｓ１０１〜Ｓ１０６    ステップ
【図１】
0005024668.tif 000002
【図２】
0005024668.tif 000003
【図３】
0005024668.tif 000004
【図４】
0005024668.tif 000005
【図５】
0005024668.tif 000006
【図６】
0005024668.tif 000007
【図７】
0005024668.tif 000008
【図８】
0005024668.tif 000009
【図９】
0005024668.tif 000010
【図１０】
0005024668.tif 000011